【事件の表示】
　平成１１年特許願第２７５８０２号「パチンコ機」拒絶査定不服審判事件〔平成１２年　３月２１日出願公開、特開２０００−　７９２１１〕について、次のとおり審決する。
【結　論】
　本件審判の請求は、成り立たない。
【理　由】
【１】本願の手続の経緯 
　本願は平成４年９月２９日の出願を、平成１１年９月２９日に新たに出願したものであって、平成１４年３月２８日付けで拒絶理由が通知され、これに対し平成１４年６月７日付けで手続補正され、平成１５年２月２０日付けで拒絶査定がなされ、これに対し平成１５年４月３日付けで拒絶査定に対する審判請求がなされ、平成１５年５月２日付けで手続補正がなされたものである。
　　　　　
【２】本願発明
　本願発明は、平成１５年５月２日付けの手続補正により、補正された特許請求の範囲の請求項１に係る発明（以下、「本願発明」という。）であり、以下のとおりである。
「【請求項１】第１の特定入賞口へのパチンコ球の飛入に基づき第１の可変表示装置を作動させ、第２の特定入賞口へのパチンコ球の飛入に基づき第２の可変表示装置を作動させ、両可変表示装置の表示が各々予め設定された表示態様になると、第１及び第２の可変入賞装置を各々遊技者に不利な第１状態から有利な第２状態に変換するようにしたパチンコ機であって、
　前記第１の特定入賞口及び第２の特定入賞口は、パチンコ球の入賞を検出する入賞口と、入賞とはならずにパチンコ球の通過を検出する入賞口とで構成されて一つの基板に設けられ、
　前記第１の可変入賞装置と前記第２の可変入賞装置とを上下に隣接させ、前記第１の可変入賞装置には、特別スイッチを備える特別領域を設け、第２の可変入賞装置には検出スイッチを設け、
　前記第１の可変入賞装置の開口部は、前記第２の可変入賞装置の開口部よりも横幅が広いことを特徴とするパチンコ機。」
　　　　　
【３】引用例に記載の発明
　本願発明の原査定の拒絶の理由に引用され、本願の出願日前に頒布された特開平４−２３１０８６号公報（以下、「引用例」という。）には、図面とともに、以下の技術事項が記載されている。
（ア）「・・図１には、この発明の第１実施例のパチンコ遊技機の遊技盤１前面の構成例を示す。遊技盤１の前面には、パチンコ遊技機下部の打球発射装置（図外）によって発射された打球を遊技盤１上方部まで案内するガイドレール３が配設され、遊技盤１の前面とガイドレール３とガラス板（透明）とによって囲まれた空間に遊技領域２が設けられている。この遊技盤１の前面の遊技領域２内の中央上部には、補助遊技や特別遊技の権利発生のための補助可変ゲームや本可変表示ゲームを行なうための補助可変表示部２１および本可変表示部２２を有する可変表示ゲーム装置２０が設置されている。この可変表示ゲーム装置２０の上部には、天入賞口と呼ばれる一般入賞口２３と、後述する始動入賞口に入賞して未だ可変表示ゲームが行なわれていない入賞個数を表示する入賞個数表示部２３等が設けられている。」（段落【０００８】）
（イ）「この可変表示装置２０の下方には該可変表示装置２０の作動結果として当りが発生したときに、大入賞口３１中に遊技球を受け入れない状態から受け入れ易い状態に変換する開閉扉３１を具えた変動入賞装置３０設置されている。この変動入賞装置３０の場合、その真上部に障害釘１２を設置する必要がなく、従来のパチンコ遊技機におけるよりも、遊技領域２最下部のアウト孔９の位置から上方へ離れた位置に設置されている。この変動入賞装置３０は大入賞口３１を具え、該大入賞口３１は上端側が手前側に倒れる向きに回動して開く開閉扉３２０によって開放されるようになっている。大入賞口３１中の中央部には通過型の入賞個数検出器３４，３５が配されている。そして、前記開閉扉３２０の裏側には、該開閉扉３２０が開いて大入賞口３１が開放されたときに該大入賞口３１の前記継続入賞口上に至った遊技球を一時的に係止して得る係止部（後述）が設けられている。また、前記可変表示装置２０と前記変動入賞装置３０との間、および前記変動入賞装置３０の左右両側位置には、それぞれ、始動入賞検出器４ａ，７ａ，５ａを有する始動入賞口４，７，５が設置されている。」（段落【０００９】）
（ウ）「また、前記可変表示装置３０の左方位置には補助役物入賞装置６が、また、前記可変表示装置７，５の真上位置にはそれぞれ通過型の特定入賞検出器８，１０が設置されている。また、可変表示装置２０の右方位置にはポケット型の一般入賞口１１が設置され、遊技領域２内の適宜位置には打球の流下方向をランダムに変化させる障害釘１２、および風車と呼ばれる打球方向変換部材１３が配置されている。」（段落【００１０】）
（エ）「また、遊技盤１前面の始動入賞口４，７，５に流入した入賞球は、それぞれ始動入賞検出器４ａ，７ａ，５ａに検出された後、貫通孔ｃ，ｇ，ｆを介して遊技盤１の裏側に至り、該裏側に設けられた流下案内通路（１ｆ，１ｇ）、（１ｊ）、および集合樋１ｎを介して入賞球処理装置３０の方向に流下される。なお、遊技盤１の中央下部位置にはアウト球回収口９と連通する貫通孔９ａが設けられている。」（段落【００１２】）
（オ）「上記のように概略構成されたパチンコ遊技機はそれに設置されたコンピュータシステム等の制御手段によって概ね次のように制御される。通常時においては、可変表示装置２０の本可変表示部２２および保持世可変表示部２１の表示は通常表示（可変表示ゲームが行なわれていない表示）となり、補助役物入賞装置６の可動片６１，６１および変動入賞装置３０の開閉扉３２０は閉じた状態となっている。この通常遊技時に、打球発射装置（図外）の作動によって遊技領域２中に打ち込まれた遊技球が始動入賞口４，７，５のいずれかに入賞すると、それらの内部の始動入賞検出器４ａ，７ａ，５ａのうちの対応するものによってその入賞が検出される。」（段落【００１３】）
（カ）「この検出に基づいて、可変表示装置２０の本可変表示部２２により本可変表示ゲームが行なわれることになる。即ち、可変表示装置２０の本可表示部２２の３つの可変表示部Ａ，Ｂ，Ｃの表示がそれぞれ独立して高速で一定順序で循環しながら変化する変動を開始する。例えば、本可変表示部２２の可変表示、即ち、「０，１，２，３……８，９，Ｆ，Ｊ，Ｌ，Ｐ，Ｕ」の１５通りの記号表示が、順に、それぞれ異なった速度で循環しながら現われる変動表示を開始する。・・」（段落【００１４】）
（キ）「・・このようにして行なわれる可変表示ゲーム結果としての停止表示態様が“大当り”の表示態様（例えば、“ゾロ目”の態様）となったときには、“大当り”が発生して特別遊技が行なわれる。ここに、特別遊技（大当りの遊技）とは、遊技者に多くの賞球獲得のチャンスを与える遊技態様で、例えば、変動入賞装置３０の開閉扉３２０の所定時間（例えば、２２秒間）の開放（サイクルの利益状態）を１サイクル（ただし、その所定時間が経過する前に変動入賞装置３０の大入賞口３１中に打球が所定個数（例えば、９個）入賞したときにはその時点で閉じるまでを１サイクルとし、各サイクル中に変動入賞装置３０の大入賞口３１中に入賞した遊技球が該大入賞口３１中の継続入賞検出器３３中を通過することを継続条件（サイクルの更新条件）として、例えば、最高１６サイクルまで継続して行なわれるものである。・・」（段落【００１５】）
（ク）「一方、通常遊技中に、打球が特定入賞検出器８中を通過したときには、補助可変表示部２１の表示が変化して停止する補助可変表示ゲームが行なわれる。そして、その補助可変表示ゲーム結果としての停止状態が特定の停止表示態様（例えば、「３」又は「７」）になったときには、補助当りとして、補助役物入賞装置６の可動片６１，６１が所定時間（例えば、７秒間）逆「ハ」の字状に開いてその中に打球が入賞し易い状態に変換する。・・」（段落【００１６】）
（ケ）「図１８には、この発明の第２実施例のパチンコ遊技機の遊技盤１前面の構成例を示す。この実施例では、変動入賞装置３０の配置を第１実施例と同様に上げた配置にして、変動入賞装置３０とアウト孔９との間に補助役物入賞装置６を配置し、可変表示装置２０の左方にポケット型の一般入賞装置１１を配置した。そして、可変表示装置２０、変動入賞装置３０および補助役物入賞装置６の機構、およびそれらを制御する役物制御装置の制御システムは第１実施例におけると同様とした。・・」（段落【００４４】）
　　　　
　以上の（ア）乃至（ケ）の記載事項及び図面の記載から、「引用例」には、以下の発明（以下、「引用発明」という。）が記載されているものと認められる。
　　　　
＜引用発明＞
「パチンコ遊技機は、遊技盤１の前面の遊技領域２内の中央上部には、補助遊技や特別遊技の権利発生のための補助可変ゲームや本可変表示ゲームを行なうための補助可変表示部２１および本可変表示部２２を有する可変表示ゲーム装置２０が設置され、可変表示装置２０の下方には可変表示装置２０の作動結果として当りが発生したときに、大入賞口３１中に遊技球を受け入れない状態から受け入れ易い状態に変換する開閉扉３１を具えた変動入賞装置３０が遊技領域２最下部のアウト孔９の位置から上方へ離れた位置に設置され、変動入賞装置３０は大入賞口３１を具え、大入賞口３１は上端側が手前側に倒れる向きに回動して開く開閉扉３２０によって開放されるようになっており、大入賞口３１中に継続入賞検出器３３が配され、可変表示装置２０と変動入賞装置３０との間、および変動入賞装置３０の左右両側位置には、それぞれ、始動入賞検出器４ａ，７ａ，５ａを有する始動入賞口４，７，５が設置され、変動入賞装置３０とアウト孔９との間に補助役物入賞装置６を配置し、始動入賞口７，５の真上位置にはそれぞれ通過型の特定入賞検出器８，１０が設置されるパチンコ遊技機であって、遊技球が始動入賞口４，７，５のいずれかに入賞すると、それらの内部の始動入賞検出器４ａ，７ａ，５ａのうちの対応するものによってその入賞が検出され、検出に基づいて、可変表示装置２０の本可変表示部２２により本可変表示ゲームが行なわれ、可変表示ゲーム結果としての停止表示態様が“大当り”の表示態様となったときには、“大当り”が発生して特別遊技が行なわれ、変動入賞装置３０の開閉扉３２０を所定時間開放し、一方、打球が特定入賞検出器８中を通過したときには、補助可変表示部２１の表示が変化して停止する補助可変表示ゲームが行なわれ、補助可変表示ゲーム結果としての停止状態が特定の停止表示態様になったときには、補助当りとして、補助役物入賞装置６の可動片６１，６１が所定時間開いてその中に打球が入賞し易い状態に変換するパチンコ遊技機。」
　　　　　　
３．対比・判断
　本願発明と引用発明との対比
　本願発明と引用発明とを対比すると、引用発明の「始動入賞口４，７，５」が本願発明の「第１の特定入賞口」に相当し、以下同様に、「遊技球が始動入賞口４，７，５のいずれかに入賞すると」が「第１の特定入賞口へのパチンコ球の飛入に基づき」に、「本可変表示部２２により本可変表示ゲームが行なわれ」が「第１の可変表示装置を作動させ」に、「特定入賞検出器８，１０」が「第２の特定入賞口」に、「打球が特定入賞検出器８中を通過したときには、補助可変表示部２１の表示が変化して」が「第２の特定入賞口へのパチンコ球の飛入に基づき第２の可変表示装置を作動させ」に、「変動入賞装置３０」が「第１の可変入賞装置」に、「補助役物入賞装置６」が「第２の可変入賞装置」に、「パチンコ遊技機」が「パチンコ機」に夫々相当している。
　また、引用発明の「可変表示ゲーム結果としての停止表示態様」及び「補助可変表示ゲーム結果としての停止状態」が、本願発明の「両可変表示装置の表示」に相当し、引用発明の「“大当り”の表示態様となったときには」及び「特定の停止表示態様になったときには」が「予め設定された表示態様になると」に相当している。
　そして、引用発明の「第１の可変入賞装置」及び「第２の可変入賞装置」は、引用例の上記記載事項（キ）「・・特別遊技（大当りの遊技）とは、遊技者に多くの賞球獲得のチャンスを与える遊技態様で、例えば、変動入賞装置３０の開閉扉３２０の所定時間・・の開放、・・例えば、最高１６サイクルまで継続して行なわれるものである。・・」、同じく記載事項（ク）「・・特定の停止表示態様（例えば、「３」又は「７」）になったときには、補助当りとして、補助役物入賞装置６の可動片６１，６１が所定時間・・開いてその中に打球が入賞し易い状態に変換する。・・」なる記載に基づけば、開閉扉３２０及び可動片６１，６１が閉じた遊技者に不利な第１状態から、開いた遊技者に有利な第２状態に変換することになるから、本願発明と同様に「各々遊技者に不利な第１状態から有利な第２状態に変換する」機能を備えたものといえる。
　さらに、引用発明の「第２の特定入賞口」は、引用例の上記載事項（ウ）「通過型の特定入賞検出器８，１０が設置されている。」なる記載及び【図１】、【図１８】からみて、パチンコ球の通過を検出する入賞口を構成するから、本願発明と「第２の特定入賞口は、パチンコ球の通過を検出する入賞口で構成され」る点で共通の機能を備えている。
　また、引用発明の「第１の可変入賞装置」と「第２の可変入賞装置」の配置関係は、引用例の上記記載事項（ケ）「・・変動入賞装置３０とアウト孔９との間に補助役物入賞装置６を配置し・・」及び【図１８】からみて、本願発明と「第１の可変入賞装置と第２の可変入賞装置とを上下に配置」した点で共通の構成を備えている。　　
　そして、引用発明の「第１の可変入賞装置」は、引用例の上記記載事項（キ）「・・変動入賞装置３０の大入賞口３１中に入賞した遊技球が該大入賞口３１中の継続入賞検出器３３中を通過する・・」なる記載に基づけば、本願発明と同様に「特別スイッチを備える特別領域」が設けられている。
　   　　　
してみると、引用発明と本願発明とは
　　　　　
「第１の特定入賞口へのパチンコ球の飛入に基づき第１の可変表示装置を作動させ、第２の特定入賞口へのパチンコ球の飛入に基づき第２の可変表示装置を作動させ、両可変表示装置の表示が各々予め設定された表示態様になると、第１及び第２の可変入賞装置を各々遊技者に不利な第１状態から有利な第２状態に変換するようにしたパチンコ機であって、
　前記第２の特定入賞口は、パチンコ球の通過を検出する入賞口で構成され、
　前記第１の可変入賞装置と前記第２の可変入賞装置とを上下に配置させ、前記第１の可変入賞装置には、特別スイッチを備える特別領域を設けたパチンコ機。」
　　　　　
　である点で一致し、以下の点で相違する。
　　　
＜相違点１＞
　第１の特定入賞口及び第２の特定入賞口が、本願発明は、パチンコ球の入賞を検出する入賞口と、入賞とはならずにパチンコ球の通過を検出する入賞口とで構成されて、且つ一つの基板に設けられているのに対し、引用発明は、第１の特定入賞口及び第２の特定入賞口が、パチンコ球の入賞を検出する入賞口と、入賞とはならない入賞口とで構成されているか否か明らかでなく、且つ一つの基板には設けられていない点。
＜相違点２＞
　第２の可変入賞装置に、本願発明は、球をカウントする検出スイッチを設けているのに対し、引用発明は、上記機能を有する検出スイッチを備えているか否か明らかでない点。
＜相違点３＞
　第１の可変入賞装置と第２の可変入賞装置とを、本願発明は、上下に隣接させているのに対し、引用発明は、上下の配置が隣接しているか否か明らかでない点。
＜相違点４＞
　本願発明は、第１の可変入賞装置の開口部は、第２の可変入賞装置の開口部より横幅が広いのに対し、引用発明は、第１の可変入賞装置の開口部と第２の可変入賞装置の開口部の横幅の大小関係が不明である点。
　　　　
４．相違点についての検討
＜相違点１について＞
　パチンコ機分野において、複数の入賞口を一つの基板に設ける点に関して、共通の機能を有する複数の入賞口を一つの基板に設けること（例えば、特開平４−１２９５８２号公報、第５頁左上欄第８行〜同頁右上欄第３行、第６頁左下欄第１０行〜同頁右下欄第１６行、特開平４−１０２４８８号公報、第３頁左上欄第９〜１９行参照）、或いは、異なる機能を有する複数の入賞口を一つの基板に設けること（例えば、特開平４−５８９６７号公報、第２頁左下欄第１５行〜同頁右下欄第４行、第４頁右上欄第３〜１０行、第９，１０図、特開平４−１０９９７９号公報、第２頁左下欄第１０〜１６行、第７頁右下欄第１４行〜第８頁左上欄第２行、第５，６図参照）等、上記に示すように複数の入賞口がその機能の異同によらず一つの基板に設けらており、入賞口が集まることで遊技球の動きも見やすく遊技に集中でき（例えば、特開平２−１３４１７９号公報、右上欄第２〜１０行参照）、入賞の狙いが定めやすくなる周知の技術といえる。（例えば、本願明細書、段落【００３０】参照）
　また、可変表示装置を作動する特定入賞口を、賞球を払い出す入賞口とするか否を適宜定めることも、多用される周知技術（例えば、特開平４−２４４１７９号公報、段落【０００７】、特開平４−２６９９８４号公報、段落【０００９】参照）にすぎない。
　そして、引用発明の第１・第２の特定入賞口と上記周知技術は、可変表示装置を作動する入賞口として機能が共通すると共に、引用発明と上記多用される周知技術は、パチンコ機の技術分野においてパチンコ球の入賞における入賞球の取り扱いについて関連しているから、引用発明の機能を異にする第１・第２の特定入賞口に、機能の異同によらず複数の入賞口を一つの基板に設ける上記周知技術を適用し、その際に入賞口を、入賞或いは入賞としない入賞口を備える上記多用される周知技術を採用して、第１・第２の特定入賞口を一つの基板に設けるとともに特定入賞口の一つを入賞としない入賞口にすること、すなわち本願発明に係る相違点１を構成することは、当業者であれば適宜に変更し得る設計事項といえる。
　　　
＜相違点２について＞
　可変入賞装置を備えたパチンコ機において、可変入賞装置に球をカウントする検出スイッチを設けることは、従来周知の技術（例えば、実願昭６１−１９６６９１号（実開昭６３−１０２４８９号）のマイクロフィルム、第８頁第６行〜第９頁第１４行、実願昭６３−５１６９４号（実開昭６４−１２５８３号）のマイクロフィルム、第９頁第３行〜第１４頁第２０行参照）である。
　そして、引用発明と周知技術の入賞装置は、ともにパチンコ機の可変型の入賞装置で機能は同一であるから、引用発明の第２の可変入賞装置に、上記周知技術の検出スイッチを適用し、第２の可変入賞装置に検出スイッチを備えさせること、すなわち本願発明に係る相違点２を構成することは、当業者であれば、適宜に変更し得る設計事項といえる。
　　　　
＜相違点３について＞
　第１の可変入賞装置と第２の可変入賞装置を上下に隣接させるのは、本願明細書の記載によれば、大入賞口と小入賞口とを１つの取付基板上に構成することができ、遊技盤上のスペースの節約、入賞装置の小型化、入賞態様に変化を持たせること等を目的としている。（段落【００３０】参照）
　ところで、可変入賞装置を備えるパチンコ機において、複数の可変入賞装置を１つの取付基板上に上下に配置することは、広く行われる周知技術（例えば、特開昭６３−１５８０７９号公報、第１５頁右上欄第１行〜同頁左下欄第１５行、第４０，４１図、特開平３−２５８２７６号公報、第３頁右上欄第１８行〜第４頁左上欄第４行、第４，５図参照）であり、複数の可変入賞装置を１つの取付基板上に配置することにより、遊技盤面において遊技スペースを確保でき、入賞態様に変化を持たせることも自明（特開昭６３−１５８０７９号公報、第１５頁左下欄第１１〜１５行参照）である。
　そうすると、引用発明と周知技術の入賞装置は、ともにパチンコ機の可変型の入賞装置で機能は同一であるから、引用発明の上下に配置された第１の可変入賞装置と第２の可変入賞装置に、１つの基板上に上下に複数の可変入賞装置を設けた上記周知技術を適用して、複数の可変入賞装置を１つの取付基板上に上下に設け、その際に隣接して配置するようにすること、すなわち本願発明に係る相違点３を構成することは、上記したように遊技盤上におけるスペースを確保する要請からも、当業者であれば適宜に変更し得る設計事項といえる。
　　　　
＜相違点４＞について
　本願発明において、各可変入賞装置の開口幅は、実質的に球を受け入れる幅を構成するものであるが、パチンコ機分野において、１つの基板上に上下に球を受け入れる入賞装置或いは始動口等を設ける際に、一方の球の受け入れを他方より容易にするために、実質的に球を受け入れる幅を上下で異ならせることは、従来周知の技術（例えば、実願昭５６−１８４９４号（実開昭５７−１３０６７６号）のマイクロフィルム、第６頁第２０行〜第７頁第９行、特開昭６２−２９２１８３号公報、第３頁右上欄第１８行〜同頁右下欄第５行、第３図（Ａ）、（Ｂ）参照）である。
　そして、引用発明と周知技術の入賞装置は、ともにパチンコ機において上下に配置された入賞装置或いは始動口であるから、引用発明の上下に配置される可変入賞装置に、実質的に球を受け入れる幅が上下で異なる上記周知技術を適用し、上下に可変入賞装置を配置する際に、受け入れを容易にする側の開口幅を広くすること、すなわち本願発明に係る相違点４を構成することは、当業者であれば、容易になし得ることである。
　　　　　　
５．作用効果・判断
　そして、本願発明における作用効果は、引用発明及び周知技術に基づいて当業者が当然予測できるものである。
　したがって、本願発明は、引用発明及び周知技術に基づいて当業者が容易に発明をすることができたものであるから、特許法第２９条第２項の規定により特許を受けることができない。
　　　　　
６．むすび
　以上のとおり、本願発明は、引用発明及び周知技術に基づいて、当業者が容易に発明をすることができたものであるから、特許法第２９条第２項の規定により特許を受けることができないものであり、本願の他の請求項について検討するまでもなく、本願は拒絶すべきものである。
　よって、結論のとおり審決する。